(57)【要約】【課題】  部品点数が少なく作製が容易な照明装置を提供する。【解決手段】  照明装置１０は、前方に光を出射する５つのＬＥＤ３１と、各ＬＥＤ３１の前方に配置され前方に向かうほど径が大きくなる本体部４２を有する５つのレンズ４１と、５つのレンズ４１を一体に保持する円板状のレンズホルダ５１と、を備えている。各レンズ４１には、前方面および後方面ともに階段状に形成された３つの外縁係止部４４が円周方向に沿って形成されている。一方、レンズホルダ５１のレンズ４１を配置する保持穴５２の内周側面５２ａにも、前方面および後方面ともに階段状に形成された３つの内縁係止部５４が円周方向に沿って形成されている。外縁係止部４４と内縁係止部５４とを周方向に沿って相補的に組み合わせることにより、レンズホルダ５１に各レンズ４１が固定される。【選択図】図１
2011124034.tif 000002
【特許請求の範囲】
【請求項１】
前方に光を出射させる発光素子と、
前記発光素子の前方に配置され前方に向かうほど径が大きくなる本体部を有するレンズと、
前記レンズを保持する保持穴を有する平板状のレンズホルダと、を備える照明装置において、
前記レンズは、その前方側の外縁に沿って、周方向に延びる一対の面を有する外縁前方座部、および周方向に延びる一対の面を有し前記外縁前方座部に対して後方かつ周方向にずらして形成される外縁後方座部からなる複数の外縁係止部を含み、
前記レンズホルダの前記保持穴は、その内縁に沿って、周方向に延びる一対の面を有する内縁前方座部、および周方向に延びる一対の面を有し前記内縁前方座部に対して後方かつ周方向にずらして形成される内縁後方座部からなる複数の内縁係止部を含み、
前記内縁係止部の前記内縁前方座部の後方に前記外縁係止部の前記外縁後方座部を配置させ、前記内縁係止部の前記内縁後方座部の前方に前記外縁係止部の前記外縁前方座部を配置させることにより、前記レンズを前記レンズホルダに係止させることを特徴とする照明装置。
【請求項２】
前記レンズの前記外縁係止部と前記レンズホルダの前記内縁係止部とが互いに対向する面のいずれか一方の面に凹部が形成され、他方の面に前記凹部に係合する凸部が形成されている請求項１に記載の光源装置。
【発明の詳細な説明】
【技術分野】
【０００１】
本発明は、発光ダイオードなどの半導体発光素子とレンズとを組み合わせて構成される照明装置に関する。
【背景技術】
【０００２】
近年、小型で環境適合性に優れたＬＥＤ（Light Emitting Diode；発光ダイオード）を光源に使用したダウンライトやスポットライトなどの照明装置が注目されている。ＬＥＤを使用した照明装置として、略半球状（椀形状）をした光制御用のレンズをＬＥＤの前方（出射方向）に配置した照明装置が知られている。ＬＥＤから離れるほど拡開するようにレンズの側面を放物曲面形状とすることにより、ＬＥＤから放射状に出射された光を略平行な光としてレンズの出射面から前方に出射させることができる（例えば、特許文献１）。
【０００３】
特許文献１が開示する照明装置（ＬＥＤ照明器具）は、ＬＥＤチップが収納された直方体の箱状に形成されたＬＥＤ（ＬＥＤパッケージ）に上記の構成をなすレンズを直接固定させている。これに対し、複数のレンズを一体に保持するレンズ保持機構を用いることにより、複数のＬＥＤの前方に複数（同数）のレンズを一体化させて配置した照明装置が報告されている（例えば、特許文献２参照）。
【０００４】
複数のレンズを一体に保持するレンズ保持機構を備えた照明装置の従来例として、特許文献２が開示するＬＥＤ照明灯具を図６（ａ）（ｂ）に示す。図６（ａ）に示す例では、回路基板（配線基板）１０１に実装された複数（２つ）のＬＥＤチップ１０２の前方（図示上方）にレンズ（集光レンズ）１０３がそれぞれ配置されている。レンズ１０３の上側外周面には、フランジ部１０３ａが形成され、フランジ部１０３ａがレンズホルダ１０４の上面と化粧板１０５の鍔部とで挟持されている。これにより、複数のレンズ１０３が１つのレンズホルダ１０４に一体に保持（係止）されている。
【０００５】
また、図６（ｂ）に示す例では、レンズ１０３のフランジ部１０３ａを、円筒状のレンズホルダ１１４の内周面に円周方向に向かって形成されているフランジ部嵌合溝１１４ａに嵌合させることにより、複数（２つ）のレンズ１０３が個々のレンズホルダ１１４に保持されている。そして、各レンズ１０３をそれぞれ保持する複数（２つ）のレンズホルダ１１４は、化粧板１１５によって一体に保持されている。
【先行技術文献】
【特許文献】
【０００６】
【特許文献１】特開２００７−５９６１８号公報
【特許文献２】特開２００７−２２０４６５号公報
【発明の概要】
【発明が解決しようとする課題】
【０００７】
特許文献２が開示する照明装置は、最前方面側に化粧板を配置させることにより、照明としての機能と共にインテリアとしての機能も兼ね備えるという優れた効果を奏するものである。
【０００８】
しかしながら、複数のレンズを一体に保持するレンズ保持機構としての機能に注目した場合には、以下の点に課題がある。すなわち、図６（ａ）に示す従来例では、レンズを保持するために、レンズホルダと化粧板という２つの部材が必要になる。このため、部材点数が増加し、製造コストの低減が困難になる。
【０００９】
一方、図６（ｂ）に示す従来例では、量産に適した例えば射出成形法によりレンズホルダを成形することを想定すると、特殊な金型を使用しない限り、内周面に周方向に延びる溝（フランジ部嵌合溝）を形成することは一般的に困難である。特に、複数のレンズを１つのレンズホルダで保持することを想定した場合には、より一層の困難が予想される。
【００１０】
本発明は、上記状況に鑑みてなされたものであり、部品点数が少なくかつ作製が容易な照明装置を提供することを目的とするものである。
【課題を解決するための手段】
【００１１】
そこで、上記課題を解決するために、本発明に係る照明装置は、前方に光を出射させる発光素子と、前記発光素子の前方に配置され前方に向かうほど径が大きくなる本体部を有するレンズと、前記レンズを保持する保持穴を有する平板状のレンズホルダと、を備える照明装置において、前記レンズは、その前方側の外縁に沿って、周方向に延びる一対の面を有する外縁前方座部、および周方向に延びる一対の面を有し前記外縁前方座部に対して後方かつ周方向にずらして形成される外縁後方座部からなる複数の外縁係止部を含み、  前記レンズホルダの前記保持穴は、その内縁に沿って、周方向に延びる一対の面を有する内縁前方座部、および周方向に延びる一対の面を有し前記内縁前方座部に対して後方かつ周方向にずらして形成される内縁後方座部からなる複数の内縁係止部を含み、前記内縁係止部の前記内縁前方座部の後方に前記外縁係止部の前記外縁後方座部を配置させ、前記内縁係止部の前記内縁後方座部の前方に前記外縁係止部の前記外縁前方座部を配置させることにより、前記レンズを前記レンズホルダに係止させることを特徴とする。
【００１２】
かかる本発明によれば、発光素子の前方に配置されるレンズには、その前方側（出射面側）の外縁に沿って、レンズホルダに保持されるための複数の外縁係止部が形成されている。外縁係止部は、周方向に延びる一対の面（前方面および後方面）を有する外縁前方座部と、周方向に延びる一対の面を有し外縁前方座部に対して後方かつ周方向にずらして形成される外縁後方座部と、から構成されている。一方、レンズホルダのレンズを配置する保持穴には、その内縁に沿って、レンズの外縁係止部と係合してレンズを保持するための複数（基本的に外縁係止部と同数）の内縁係止部が形成されている。内縁係止部は、外縁係止部と同様に、周方向に延びる一対の面を有する内縁前方座部と、周方向に延びる一対の面を有し内縁前方座部に対して後方かつ周方向にずらして形成される内縁後方座部と、から構成されている。すなわち、レンズの外縁およびレンズホルダの保持穴の内縁には、いずれも周方向に沿って鍔状かつ階段状に形成された外縁係止部および内縁係止部がそれぞれ形成されている。
【００１３】
そして、内縁係止部の内縁前方座部の後方に外縁係止部の外縁後方座部を配置させ、内縁係止部の内縁後方座部の前方に外縁係止部の外縁前方座部を配置させることにより、レンズをレンズホルダに保持させている。すなわち、階段状に形成された外縁係止部と内縁係止部とを周方向に沿って相補的に組み合わせることにより、レンズをレンズホルダに保持させている。
【００１４】
このように、本発明においては、１枚のレンズホルダのみで複数のレンズを保持する。これにより、部品点数が減少し、製造コストを低減することができる。また、レンズホルダの保持穴の内縁に形成される、レンズを保持するための内縁係止部が、鍔状に形成され、従来技術とは異なり溝を有しない構造に形成されている。このため、特殊な機構を有する金型を用いることなく、通常の一軸方向に可動させる金型（縦型の成形機の場合には、上金型および下金型）を用いてレンズホルダを容易に成形することができる。また、照明装置が例えばダウンライトとして天地を逆にして天井に取り付けられた状態にあっても、レンズごとにレンズの交換またはレンズの位置調整をすることが可能となる。
【００１５】
本発明の好ましい実施の形態においては、レンズの外縁係止部とレンズホルダの内縁係止部とが互いに対向する面のいずれか一方の面に凹部が形成され、他方の面に凹部に係合する凸部が形成されている。
【００１６】
かかる発明によれば、外縁係止部または内縁係止部のいずれか一方に形成されている凹部に、他方に形成されている凸部を係合させることにより、レンズホルダに対するレンズの周方向の位置決め固定を、確実かつ容易に行なうことができる。
【００１７】
また、本発明に係る照明装置は、前方に光を出射させる発光素子と、前記発光素子の前方に配置され前方に向かうほど径が大きくなる本体部を有するレンズと、前記レンズを保持する保持穴を有する平板状のレンズホルダと、を備える照明装置において、前記レンズは、その前方側の面である出射面の外縁に沿って、ともに階段形状の前方面および後方面を有する複数の外縁係止部を含み、前記レンズホルダの前記保持穴は、その内縁に沿って、ともに階段形状の前方面および後方面を有する複数の内縁係止部を含み、前記外縁係止部と前記内縁係止部とを周方向に沿って相補的に組み合わせることにより、前記レンズを前記レンズホルダに係止させることを特徴とする。
【図面の簡単な説明】
【００１８】
【図１】本発明の実施形態に係る照明装置の全体構成例を示す一部分解斜視図である。
【図２】同照明装置の組立状態を示す要部分断面図である。
【図３】同照明装置のレンズの構成例を示す斜視図であり、（ａ）は前方側から見た斜視図であり、（ｂ）は後方側から見た斜視図である。
【図４】同照明装置のレンズホルダの要部構成例を示す部分拡大斜視図である。
【図５】（ａ）（ｂ）は、同レンズを同レンズホルダに組み付ける工程を説明するための平面展開模式図である。
【図６】（ａ）（ｂ）は、従来の照明装置の構成例を示す断面図である。
【発明を実施するための形態】
【００１９】
以下、本発明の実施形態に係る照明装置１０を添付図面を参照して説明する。
【００２０】
照明装置１０は、図１および図２に示すように、平板状のベース１１と、ベース１１上に配置される複数（本実施形態では、５つ）の回路基板２１と、複数の回路基板２１の各々に実装される複数（５つ）の発光素子としてのＬＥＤ３１と、５つのＬＥＤ３１に対してそれぞれ配置される複数（５つ、図１では１つのみを図示）のレンズ４１と、複数のレンズ４１を保持しベース１１と平行に配置される平板状のレンズホルダ５１と、レンズホルダ５１をベース１１上に支持する複数（３本）の支柱６１と、を備えている。
なお、以下では、ベース１１の平面に直交する方向を「軸（光軸）方向」と定義する。また、軸方向に沿ってベース１１がレンズホルダ５１を向く方向を「前方」と定義し、「前方」の反対方向を「後方」と定義する。
【００２１】
ベース１１は、ヒートシンクとしての機能を備えるものであり、本実施形態では、アルミニウムを用いて平面視矩形状に形成されている。ベース１１の上面１１ａには、支柱６１を固定するためのネジ穴（不図示）が複数（３つ）形成されている。
【００２２】
次に、回路基板２１は、本実施形態では、ＦＰＣ（Flexible
Printed Circuit Board；フレキシブルプリント回路基板）を使用している。５つの回路基板２１は、ベース１１の上面１１ａ上において、仮想同一円周上に等間隔に配置され、隣接する回路基板２１と図示していない配線により直列結線されている。なお、結線方式は、並列結線であってもよい。また、ベース１１の上面１１ａに絶縁層を介して回路配線を直接形成してもよい。
【００２３】
次に、ＬＥＤ３１は、青色光（波長４１０ｎｍから４８０ｎｍ）を発光する青色ＬＥＤチップと、青色ＬＥＤが発光する青色光を受けて黄色成分の光を発光する黄色蛍光体と、を組み合わせてなる擬似白色ＬＥＤである。ＬＥＤ３１は、主として前方に向かって白色光を出射するように構成されている。なお、ＬＥＤ３１は擬似白色ＬＥＤに限定されるものではなく、蛍光体についても黄色蛍光体に限定されるものではない。
【００２４】
次に、レンズ４１は、透明な樹脂（本実施形態では、ポリカーボネート）を用いて成形されている。レンズ４１は、図３（ａ）（ｂ）に示すように、中実椀状に形成された本体部４２、および本体部４２の前方側に円筒平板状に形成された出射部４３から構成されている。
【００２５】
本体部４２は、その外形面に、後方から前方に向かって拡開するように形成された略放物曲面形状の反射面４２ａを有している。また、本体部４２の後方面中央部には、前方に向かって延びる略円筒状の空洞４２ｂが形成されている。空洞４２ｂには、ＬＥＤ３１の前方側部分が配置される。これにより、ＬＥＤ３１から出射された光を効率的にレンズ４１内に取り込むことができる。レンズ４１内に取り込まれた光は、直接または反射面４２ａで全反射しながら出射部４３に向かって進行する。
【００２６】
出射部４３は、その外形面に、光を出射させる円形状の出射面４３ａ、および反射面４２ａの前方周辺および出射面４３ａの外周辺を連結するように形成される円周面状の出射部外周側面４３ｂを有している。なお、本実施形態では、出射部４３の厚さ（軸方向寸法）はレンズホルダ５１の厚さと同一である。
【００２７】
出射面４３ａは、全体としては軸方向に直交する平坦な面であるが、図示していない微小なドームが全面にわたって複数形成されている。適宜高さを調整した微小なドームを出射面４３ａに形成することにより、出射面４３ａから出射する光の出射方向を調整することができる。
【００２８】
出射部外周側面４３ｂには、複数（３つ）の外縁係止部４４が周方向に沿って等間隔に形成されている。各外縁係止部４４は、出射面４３ａ側に形成される外縁前方座部４５、および外縁前方座部４５に対して後方かつ周方向に（上面視して、反時計方向に）ずらして形成される外縁後方座部４６から構成されている。
【００２９】
外縁前方座部４５は、周方向に沿って所定の角度範囲で径方向外側に張り出す鍔状に形成されている。外縁前方座部４５は、外形面として、前方側の面である前方面４５ａと、前方面４５ａに平行に対向する後方面４５ｂと、周方向に対向する一対の端面のうち時計方向側の端面である正側端面４５ｃと、正側端面４５ｃと周方向に対向する反時計方向側の端面である反側端面４５ｄと、径方向外側を向き曲率一定の円弧面である外周面４５ｅと、を有している。前方面４５ａは、本実施形態では、出射面４３ａと面一に形成されている。
【００３０】
外縁後方座部４６は、周方向に沿って所定の角度範囲で径方向外側に張り出す鍔状に形成されている。外縁後方座部４６は、その張り出し寸法（径方向寸法）および厚さ（軸方向寸法）は外縁前方座部４５と同一であるが、周方向長さは外縁前方座部４５の周方向長さよりも短く設定されている。
【００３１】
また、外縁後方座部４６は、外形面として、前方側の面である前方面４６ａと、前方面４６ａに平行に対向する後方面４６ｂと、周方向に対向する一対の端面のうち時計方向側の端面である正側端面４６ｃと、正側端面４６ｃと周方向に対向する反時計方向側の端面である反側端面４６ｄと、径方向外側を向き曲率一定の円弧面である外周面４６ｅと、を有している。外縁後方座部４６の前方面４６ａは、外縁前方座部４５の後方面４５ｂの軸方向位置が同一となるように（同一仮想平面上に位置するように）形成されている。そして、外縁後方座部４６における前方面４６ａの正側端面４６ｃ側の一部が、外縁前方座部４５における後方面４５ｂの反側端面４５ｄ側の一部と重なるように形成されている。
【００３２】
このように構成された外縁係止部４４は、外縁前方座部４５の前方面４５ａと、外縁前方座部４５の反側端面４５ｄと、外縁後方座部４６の前方面４６ａのうち外部に露出する部分（外縁前方座部４５の後方面４５ｂと重ならない部分）と、により周方向に対して階段状（クランク状）に形成される前方段面４４Ａを有している。また、外縁係止部４４は、外縁前方座部４５の後方面４５ｂのうち外部に露出する部分（外縁後方座部４６の前方面４６ａと重ならない部分）と、外縁後方座部４６の正側端面４６ｃと、外縁後方座部４６の後方面４６ｂと、により周方向に対して階段状に形成される後方段面４４Ｂを有している。そして、外縁係止部４４は、全体として、側面視して階段状に形成されている（後述する図５（ａ）（ｂ）参照）。
【００３３】
また、各外縁係止部４４は、各外縁前方座部４５の後方面４５ｂに、突起４７がそれぞれ形成されている。突起４７は、後述するレンズホルダ５１に形成される凹部５７と係合させるものである。
【００３４】
また、隣接する外縁係止部４４，４４の間（上面視して、正側端面４５ｃ−反側端面４６ｄ間）には、スペース（周方向間隔）が置かれている。スペースの周方向長さは、レンズホルダ５１における後述する内縁係止部５４の内縁前方座部５５の周方向長さより幾分長めに設定されている（内縁後方座部５６の周方向長さよりも大幅に短く設定されている）。これは、レンズ４１をレンズホルダ５１に組み付ける作業を可能にするためである。レンズホルダ５１にレンズ４１を固定する方法については後述する。
【００３５】
次に、レンズホルダ５１は、不透明な樹脂（本実施形態では、白色ＡＢＳ（Acrylonitrile Butadiene Styrene）樹脂）を用いて円板状に成形されている。レンズホルダ５１には、５つのレンズ４１をそれぞれ保持する複数（５つ）の保持穴５２と、後述する支柱６１を構成するボルト６３をそれぞれ挿通する複数（３つ）の小穴（不図示）と、が厚さ方向（軸方向）に貫通して形成されている。
【００３６】
保持穴５２は、円形状に形成され、その径が、レンズ４１の外縁係止部４４の外径（複数の外周面４５ｅおよび複数の外周面４６ｅを外挿する仮想円周面の径）と同一か、それよりも僅かに大きく形成されている。
【００３７】
各保持穴５２の内周側面５２ａには、複数（レンズ４１の外縁係止部４４と同数の３つ）の内縁係止部５４が周方向に沿って等間隔に形成されている。各内縁係止部５４は、前方に形成される内縁前方座部５５、および内縁前方座部５５に対して後方かつ周方向に（上面視して、反時計方向に）ずらして形成される内縁後方座部５６から構成されている。
【００３８】
内縁前方座部５５は、周方向に沿って所定の角度範囲で径方向内側に張り出す鍔状に形成されている。内縁前方座部５５は、外形面として、前方側の面である前方面５５ａと、前方面５５ａに平行に対向する後方面５５ｂと、周方向に対向する一対の端面のうち時計方向側の端面である正側端面５５ｃと、正側端面５５ｃと周方向に対向する反時計方向側の端面である反側端面５５ｄと、径方向内側を向き曲率一定の円弧面である内周面５５ｅと、を有している。
【００３９】
内縁前方座部５５は、その内径（内縁前方座部５５の内周面５５ｅを外挿する仮想円周面の径）が、レンズ４１の出射部外周側面４３ｂの径と同一か、それよりも僅かに大きく形成されている。また、内縁前方座部５５の前方面５５ａは、本実施形態では、レンズホルダ５１の前方側の平面である前平面５１ａと面一に形成されている。
【００４０】
内縁後方座部５６は、周方向に沿って所定の角度範囲で径方向内側に張り出す鍔状に形成されている。内縁後方座部５６は、その張り出し寸法および厚さは内縁前方座部５５と同一であるが、周方向長さは内縁前方座部５５の周方向長さよりも長く設定されている。なお、本実施形態では、内縁前方座部５５および内縁後方座部５６の張り出し寸法および厚さは、レンズ４１の外縁前方座部４５および外縁後方座部４６の張り出し寸法および厚さと同一である。また、内縁前方座部５５の周方向長さは、レンズ４１の外縁後方座部４６の周方向長さと略同一であり、内縁後方座部５６の周方向長さは、レンズ４１の外縁前方座部４５の周方向長さと略同一である。
【００４１】
内縁後方座部５６は、外形面として、前方側の面である前方面５６ａと、前方面５６ａに平行に対向する後方面５６ｂと、周方向に対向する一対の端面のうち時計方向側の端面である正側端面５６ｃと、正側端面５６ｃと周方向に対向する反時計方向側の端面である反側端面５６ｄと、径方向内側を向き曲率一定の円弧面である内周面５６ｅと、を有している。前方面５６ａは、内縁前方座部５５の後方面５５ｂに対して軸方向位置が同一となるように形成されている。そして、内縁後方座部５６の前方面５６ａの正側端面５６ｃ側の一部が、内縁前方座部５５の後方面５５ｂの反側端面５５ｄ側の一部と重なるように形成されている。
【００４２】
このように構成された内縁係止部５４は、内縁前方座部５５の前方面５５ａと、内縁前方座部５５の反側端面５５ｄと、内縁後方座部５６の前方面５６ａのうち外部に露出する部分（内縁前方座部５５の後方面５５ｂと重ならない部分）と、により周方向に対して階段状に形成される前方段面５４Ａを有している。また、内縁係止部５４は、内縁前方座部５５の後方面５５ｂのうち外部に露出する部分（内縁後方座部５６の前方面５６ａと重ならない部分）と、内縁後方座部５６の正側端面５６ｃと、内縁後方座部５６の後方面５６ｂと、により周方向に対して階段状に形成される後方段面５４Ｂを有している。そして、内縁係止部５４は、全体として、側面視して階段状に形成されている（後述する図５（ａ）（ｂ）参照）。
【００４３】
このように、階段状に構成された内縁係止部５４に対して、同じく階段状に構成されたレンズ４１の外縁係止部４４を周方向に沿って相補的に組み合わせる（噛み合わせる）ことにより、レンズホルダ５１に対してレンズ４１を固定することができるが、その詳細は後述する。
【００４４】
また、各内縁係止部５４は、各内縁後方座部５６の前方面５６ａに、凹部５７がそれぞれ形成されている。凹部５７は、前述のように、レンズ４１に形成される突起４７と係合させるものである。
【００４５】
また、隣接する内縁係止部５４，５４の間（上面視して、正側端面５５ｃ−反側端面５６ｄ間）には、スペース（周方向間隔）が置かれている。このスペースの周方向長さは、レンズ４１の外縁後方座部４６の周方向長さより幾分長めに設定されている（外縁前方座部４５の周方向長さよりも大幅に短く設定されている）。これは、レンズ４１をレンズホルダ５１に組み付ける作業を可能にするためである。
【００４６】
次に、支柱６１は、本実施形態では、スペーサとして機能させる円筒状のパイプ６２と、パイプ６２の内側に挿通されベース１１およびレンズホルダ５１を連結するボルト６３と、から構成されている。支柱６１を用いてベース１１上にレンズホルダ５１を位置決め固定することにより、レンズホルダ５１に固定された各レンズ４１が各ＬＥＤ３１に対してそれぞれ光学的に位置合わせされる。
【００４７】
次に、レンズホルダ５１の保持穴５２にレンズ４１を固定する方法の一例を、図５（ａ）（ｂ）を併せて参照して説明する。なお、図５（ａ）（ｂ）では、レンズ４１の外縁係止部４４およびレンズホルダ５１の内縁係止部５４のうち一部を平面展開して表示している。
【００４８】
まず、レンズホルダ５１の保持穴５２に対して、レンズホルダ５１の前平面５１ａ側からレンズ４１を配置する。このとき、レンズ４１の外縁係止部４４の少なくとも一部がレンズホルダ５１の内縁係止部５４に載置されるため、レンズ４１が保持穴５２を抜け落ちることはない。次に、レンズ４１を自転させ、図５（ａ）に示すように、レンズ４１の外縁後方座部４６が、レンズホルダ５１の隣接する内縁係止部５４間のスペースの後方側に嵌る。レンズ４１の外縁後方座部４６が隣接する内縁係止部５４間のスペースに嵌ると、レンズホルダ５１の内縁前方座部５５が、レンズ４１の隣接する外縁係止部４４間のスペースの前方側に嵌る。そして、レンズ４１の外縁前方座部４５の少なくとも一部が、レンズホルダ５１の内縁後方座部５６の前方面５６ａ側に載置される。
【００４９】
次に、レンズホルダ５１に対してレンズ４１を後方に押し込みながら（外縁係止部４４および内縁係止部５４を弾性変形させながら）反時計方向に自転させ、レンズ４１の外縁後方座部４６の反側端面４６ｄ側の部分を、レンズホルダ５１における隣接する内縁係止部５４の内縁前方座部５５の後方に配置する。このようにレンズ４１の外縁係止部４４とレンズホルダ５１の内縁係止部５４を周方向に沿って噛み合わせることにより、軸方向に対するレンズ４１の移動が規制される。
【００５０】
そして、レンズ４１をさらに自転させ、図５（ｂ）に示すように、レンズ４１の外縁前方座部４５に形成されている突起４７をレンズホルダ５１の内縁後方座部５６に形成されている凹部５７に嵌合させる。突起４７を凹部５７に嵌合させることにより、レンズ４１の回転移動が規制され、レンズ４１をレンズホルダ５１に位置決め固定する作業が完了する。なお、この状態においては、レンズ４１の外縁前方座部４５の後方面４５ｂとレンズホルダ５１の内縁後方座部５６の前方面５６ａとが互いに面接触し、レンズ４１の外縁後方座部４６の前方面４６ａとレンズホルダ５１の内縁前方座部５５の後方面５５ａとが互いに面接触している。
【００５１】
以上のように構成された照明装置１０は、従来技術と同様に、５つのＬＥＤ３１から発光された光を、各レンズ４１により出射方向を制御させながら、レンズ４１の出射面４３ａから被照明体に向かって出射させることができる。以下では、本発明の実施形態に係る照明装置１０が奏する特有の作用効果について説明する。
【００５２】
照明装置１０は、５つのレンズ４１の出射部外周側面４３ｂにそれぞれ形成される３つの外縁係止部４４、およびレンズホルダ５１の５つの保持穴５２の内周側面５２ａにそれぞれ形成される３つの内縁係止部５４が、周方向に沿ってそれぞれ階段状に形成されている。そして、各外縁係止部４４と各内縁係止部５４とを周方向に沿って相補的に組み合わせることにより、レンズホルダ５１に5つのレンズ４１を固定させている。このように、照明装置１０は、複数のレンズ４１を１枚のレンズホルダ５１のみで保持させている。これにより、部品点数が削減され、安価な照明装置１０を実現することができる。また、照明装置１０は、天地を逆にした状態（例えば、ダウンライトとして、天井に取り付けた状態）でも、レンズ４１ごとにレンズの交換またはレンズの位置調整をすることが可能である。
【００５３】
また、レンズホルダ５１に形成される内縁係止部５４が、鍔状かつ階段状に形成され、従来技術において必要とされた溝を有しない構造とされている。このため、特殊な機構を有する金型を用いることなく、レンズホルダ５１を射出成形法等により容易に成形することができる。このため、レンズホルダ５１の製造コスト、ひいては、照明装置１０の製造コストを低減することができ、この点からも安価な照明装置１０を実現することができる。
【００５４】
また、照明装置１０は、レンズ４１の外縁係止部４４（外縁前方座部４５の後方面４５ｂ）に突起４７を設け、レンズホルダ５１の内縁係止部５４（内縁後方座部５６の前方面５６ａ）に突起４７を嵌合させる凹部５７を設けている。これにより、レンズホルダ５１に対するレンズ４１の周方向の位置決め固定を、確実かつ容易に行なうことができる。
【００５５】
なお、照明装置１０は、レンズ４１の出射面４３ａの外縁側に、白色の樹脂からなる内縁係止部５４と、透明な樹脂からなる外縁係止部４４と、が周方向に対して交互に配置されている。このため、照明光の明るさが円周方向で不均一になることが懸念されたが、そのような現象は確認されなかった。これは、レンズ４１の外縁係止部４４が、レンズ４１の本体部４２の最大外径の外側に形成されているために、外縁係止部４４に入射する光がほとんど存在しなかったことによるものと考えられる。
【００５６】
また、他の理由として、レンズ４１の外縁後方座部４６の周方向長さが、外縁前方座部４５の周方向長さよりも短い、すなわち、レンズホルダ５１の隣接する内縁係止部５４，５４間のスペースの周方向長さが、内縁係止部５４の周方向長さに比べて短いことが考えられる（隣接する内縁係止部５４，５４間のスペースの周方向長さは、レンズ４１の外縁後方座部４６の周方向長さより幾分長く設定されている）。隣接する内縁係止部５４，５４間のスペースは光が透過可能な領域であるが、光が透過可能なスペースの周方向長さを遮光領域（内縁係止部５４）の周方向長さに比べて短くすることにより、照明光の明るさの均一性がより損なわれ難かったと考えられる。
【００５７】
以上、本発明の好ましい実施形態について説明したが、実施の形態については上記に限定されるものではなく、本発明の主旨を逸脱しない範囲で種々の変更が可能である。  
【００５８】
例えば、上記実施形態では、レンズ４１の外縁係止部４４に突起４７を設け、レンズホルダ５１の内縁係止部５４に凹部５７を設けているが、これに限定されない。外縁係止部４４に凹部を設け、内縁係止部５４に突起を設けるようにしてもよい。
【００５９】
また、突起４７と凹部５７との係合作業を容易にするために、例えば、レンズホルダ５１の内縁後方座部５６の前方面５６ａに、凹部５７に近づくほど深さが浅くなる案内溝を形成してもよい。また、レンズ４１の外縁後方座部４６における前方面４６ａの反側端面４６ｄ側またはレンズホルダ５１の内縁前方座部５５における後方面５５ｂの正側端面５５ｃ側にテーパ加工を施してもよい。
【００６０】
また、突起４７および凹部５７は、必ずしも設けなくてもよい。この場合、例えば、レンズ４１の外縁係止部４４とレンズホルダ５１の内縁係止部５４との接触面同士の摩擦力（弾性力）を利用して固定（回転移動を規制）してもよい。また、レンズホルダ５１の内縁前方座部５５の後方面５５ｂを周方向に対して緩やかに後方に傾斜する面（傾斜面）として、レンズ４１の外縁後方座部４６における反側端面４６ｄの前方側の端部をその傾斜面に食い込ませるようにして固定してもよい。この場合、外縁後方座部４６の前方面４６ａに突起を形成し、その突起を傾斜面に食い込ませるようにして固定してもよい。また、補助的に接着剤を用いて固定してもよい。
【００６１】
また、上記実施形態では、外縁前方座部４５の一部に外縁後方座部４６の一部が重なるようにレンズ４１の外縁係止部４４が形成されているが、これに限定されない。外縁前方座部４５と外縁後方座部４６とは分離していてもよい。レンズホルダ５１の内縁係止部５４についても同様である。
【００６２】
また、上記実施形態では、外縁前方座部４５に対して外縁後方座部４６を反時計方向にずらしてレンズ４１の外縁係止部４４が形成されているが、これに限定されない。外縁前方座部４５に対して外縁後方座部４６を時計方向にずらしてレンズ４１の外縁係止部４４が形成してもよい。レンズホルダ５１の内縁係止部５４についても同様である。
【００６３】
また、上記実施形態では、外縁前方座部４５の後方面４５ｂの軸方向位置と外縁後方座部４６の前方面４６ａの軸方向位置とが一致するようにレンズ４１の外縁係止部４４が形成されているが、これに限定されない。外縁前方座部４５の後方面４５ｂの軸方向位置と外縁後方座部４６の前方面４６ａの軸方向位置とが異なるように外縁係止部４４を形成した場合には、外縁係止部４４と相補的に組み合わせるレンズホルダ５１の内縁係止部５４の形状を適宜変更できることは当然のことである。
【符号の説明】
【００６４】
１０  照明装置
１１  ベース
２１  回路基板
３１  ＬＥＤ
４１  レンズ
４２  本体部
４２ａ  反射面
４２ｂ  空洞
４３  出射部
４３ａ  出射面
４３ｂ  出射部外周側面
４４  外縁係止部
４５  外縁前方座部
４６  外縁後方座部
４７  突起
５１  レンズホルダ
５１ａ  前平面
５２  保持穴
５２ａ  内周側面
５４  内縁係止部
５５  内縁前方座部
５６  内縁後方座部
５７  凹部
６１  支柱
【図１】
2011124034.tif 000003
【図２】
2011124034.tif 000004
【図３】
2011124034.tif 000005
【図４】
2011124034.tif 000006
【図５】
2011124034.tif 000007
【図６】
2011124034.tif 000008